(57)【要約】      （修正有）【課題】付着した土を振動で効率よく落とすことができる農業機械の田圃用鉄製ホイールを提供する。【解決手段】ホイールは、ラジアルシャフト１、把持爪２、円形地ならしブレード３を含む。ラジアルシャフトは、補強リブ１２で固定され、円形フレーム１１に接続されたホイールシャフトを有する。把持爪は、円形フレームの周囲に等間隔で固定され、把持爪片２２と支持体２１を含み、支持体は把持爪片の両側に対称的に固定される。把持爪片に円弧形地ならしブレードが配置され、円弧形地ならしブレードは、把持爪片に対応する穴を有する。把持爪片は、穴を介して互いに拘束および接続され、把持爪片と支持体は、円形ブレードの脱落を制限する。把持爪片を円形フレームで回転駆動すると、把持爪片と円弧形地ならしブレードがそれぞれ転がり力と遠心力により前後、左右、上下に振動し、付着した土を落とす。【選択図】図１
0003226363.tif 000002
【実用新案登録請求の範囲】
【請求項１】
農業機械の田圃用鉄製ホイールの構造であって、ラジアルシャフトと、複数の把持爪と、円弧形地ならしブレードとを含み、
前記ラジアルシャフトはホイールシャフトを含み、前記ホイールシャフトは補強リブによって円形フレームに固定的に接続され、
前記複数の把持爪は、前記円形フレームの周囲に等間隔で固定されており、前記把持爪は、把持爪片と支持体とを含み、前記支持体は、前記把持爪片の両側に対称的に固定されており、
前記円弧形地ならしブレードは前記把持爪片に配置され、前記円弧形地ならしブレードは、前記把持爪片に対応する適切な穴を有し、前記把持爪は、前記穴を介して互いに拘束して連結する動きを形成し、前記把持爪と前記支持体は、前記円弧形地ならしブレードの脱落を制限することを特徴とする、農業機械の田圃用鉄製ホイールの構造。
【考案の詳細な説明】
【技術分野】
【０００１】
本考案は一種の改良された農業機械の田圃用鉄製ホイールの構造に関する。特に、シンプルな構造、簡単な組み立て、低コスト、高い土壌除去効率、頑丈、および地面への強力な地面把持力を備えた農業機械の田圃用鉄製ホイールの構造である。
【背景技術】
【０００２】
従来の農業機械鉄ホイールの構造は、例えば、台湾特許公開第２５６１７３号に開示されている。主に３セットの三叉ホイールブレードを等距離で固定することにより、ホイールシャフトの周囲に固定され、三叉ホイールブレードのそれぞれには、互いに対向する円弧状のホイールフレームにスロットが設けられ、連結されている。円弧状のホイールフレームは、三叉ホイールブレード上を自由に移動できる。そして、三叉ホイールブレードの二股に分かれたツーピースを使用することにより、カーブしたホイールフレームが外に抜けることを防ぐ。これにより、三叉ホイールブレードがホイールシャフトによって回転すると、遠心力とローリング効果により、３つの分離した円弧状のホイールフレームが別々に移動し、それに付着した土壌が落ちる。
【考案の概要】
【考案が解決しようとする課題】
【０００３】
しかしながら、前述の特許の場合、部品が多く、そして組み立てが複雑であり、鉄ホイールが回転すると、円弧状ホイールフレームのスロットは、ニュートラルピースとツーピースによって制限される。スロットと分岐部分のツーピースの間の摩擦力は大きく、２つは長い作業時間の後に摩耗する傾向がある。また、スロットはニュートラルピースと分岐ピースによって制限されているため、可動スペースが制限され、可動スペースが小さく、摩擦が大きく、転がりながら土を振り落とすか、除去する効率が悪いと、鉄製ホイールの地面への把持力が不十分になり、摩擦が大きくなり、損傷率が増加するが、これは明らかに農家の経済的利益とは一致しない。
【課題を解決するための手段】
【０００４】
以上のことにより、本考案者は農業機械の田圃用鉄製ホイール構造を改良した。
鉄ホイールの改良された構造は、ラジアルシャフトと、複数の把持爪と、円弧形地ならしブレードとを含む。ラジアルシャフトはホイールシャフトを含み、ホイールシャフトは補強リブによって円形フレームに固定的に接続されている。複数の把持爪が円形フレームの周囲に等間隔で固定されており、把持爪は把持爪片と支持体とを含み、支持体は把持爪片の両側に対称的に固定されている。円弧形地ならしブレードは把持爪片に配置され、円弧形地ならしブレードは、把持爪片に対応する適切な穴を有し、把持爪は、穴を介して互いに拘束して連結する動きを形成し、把持爪と支持体は、円弧形地ならしブレードの脱落を制限する。  
【考案の効果】
【０００５】
上記の技術的特徴によれば、以下の効果を達成することができる。
１．把持爪と円弧形地ならしブレードは鉄製ホイールが回転して行進する際に生成される遠心力および土壌と接触して転がることを利用して、把持爪と円弧形地ならしブレードの単純な構造は上下に移動し、左右に振ることができる。また、把持爪の数が多いため、従来の鉄製ホイールよりも地ならしの効率がはるかに大きく、把持爪片と円弧形地ならしブレードに付着した土壌を効果的に除去し、本考案の鉄製ホイールが回転進行中において、地面把持力を高め、農家の仕事の効率を高めることができる。
【図面の簡単な説明】
【０００６】
【図１】本考案の構造模式図である。
【図２】本考案の正面図である。
【図３】本考案の側面図である。
【図４】本考案の円弧形地ならしブレードの動作概略図１である。
【図５】本考案の円弧形地ならしブレードの動作概略図２である。
【考案を実施するための形態】
【０００７】
上記の技術的特徴に基づいて、本考案における改良された農業機械の田圃用鉄製ホイールの構造の主な効果は、以下の実施形態において明確に提示され得る。
【０００８】
図１から図３を参照してください。改良された農業機械の田圃用鉄製ホイールの構造はラジアルシャフト（１）、複数の把持爪（２）、および円弧形地ならしブレード（３）を含む。ラジアルシャフト（１）は、円形フレーム（１１）、補強リブ（１２）、およびホイールシャフト（１３）を備え、ホイールシャフト（１３）は、補強リブ（１２）によって円形フレーム（１１）に固定接続される。複数の把持爪（２）は、円形フレーム（１１）の周囲に等間隔で固定されている。把持爪（２）は、把持爪片（２１）と支持体（２２）とを含む。支持体（２２）は、把持爪片（２１）の両側に対称的に固定されている。円弧形地ならしブレード（３）は把持爪片（２１）に配置され、円弧形地ならしブレード（３）は、把持爪片（２１）に対応する適切な穴（３１）を有する。把持爪片（２１）は、穴（３１）により、互いに拘束し、連結する移動を形成することで適切に移動させることができる。さらに、把持爪片（２１）と支持体（２２）は、円弧形地ならしブレード（３）の脱落を制限する。
【０００９】
しかし、本考案で説明した把持爪（２）は９つのグループに限定されず、実際の必要性に応じて増減できる。特に説明されるべきなのは、組み立てにおいて、最初に円弧形地ならしブレード（３）を、穴（３１）を用いて、把持爪（２）の把持爪片（２１）にスリーブし、次に円弧形地ならしブレード（３）が脱落しないように、支持体（２２）は把持爪片（２１）の両側に溶接される。次に、把持爪（２）を円形フレーム（１１）の周囲に均等に溶接し、円形フレーム（１１）とホイールシャフト（１３）が補強リブ（１２）で溶接固定された後、ラジアルシャフト（１）が形成される。ラジアルシャフト（１）は農業機械と相互接続でき、農業機械が移動すると、ラジアルシャフト（１）が回転するため、前方に転がる。シンプルな構造、頑丈且つ高い土壌掘り返す効率、と強力な地面把持力を備えた農業機械の田圃用鉄製ホイールを形成する。
【００１０】
図４および図５を参照してください。把持爪（２）と円弧形地ならしブレード（３）の構造の設計は、主に把持爪片（２１）と円弧形地ならしブレード（３）を互いに拘束、して接続することである。次に、支持部（２２）が把持爪片（２１）の両側に溶接される。円弧形地ならしブレード（３）と把持爪（２）の組合わせ、および円弧形地ならしブレード（３）の穴（３１）によって提供される移動スペースにより、円弧形地ならしブレード（３）は、農業機械の田圃用鉄製ホイールの回転中の遠心力と土に転がる作用により、それぞれ上下、左右、前後に３次元的に柔軟に移動できるため、効果的に土壌を掘り返したり、振ったりすることができる。さらに、円弧形地ならしブレード（３）の数は大きく、小さく、柔軟性があり、摩擦は小さく、円弧形地ならしブレード（３）の土を掘り返す効率を向上させることができる。把持爪片（２１）の把持力を高めるために、把持爪片（２１）および円弧形地ならしブレード（３）が土で覆われることは回避される。
【００１１】
このように、円弧形地ならしブレード（３）のより多くのグループを設定することができるので、土を掘り返す効率は従来のものよりも数倍高く、摩擦は小さい。円弧形地ならしブレード（３）は、大きな移動スペースを持ち、農業機械の田圃用鉄製ホイールの地面把持力を向上させ、作業効率をさらに向上させ、農家の作業効率を向上させる。  
【００１２】
上記の実施形態の説明に基づいて、本考案の操作、使用、および効果が完全に理解できると思われる。しかし、上記の実施形態は、本考案の好ましい実施形態に過ぎず、本考案の実施範囲がこれによって制限されない。即ち、本考案に関連する同じ創造的な精神において行われた変更または改変は、本考案の保護の範囲に含まれるべきである。
【符号の説明】
【００１３】
１    ラジアルシャフト
１１  円形フレーム
１２  補強リブ
１３  ホイールシャフト
２    把持爪
２１  把持爪片
２２  支持体
３    円弧形地ならしブレード
３１  穴  
【図１】
0003226363.tif 000003
【図２】
0003226363.tif 000004
【図３】
0003226363.tif 000005
【図４】
0003226363.tif 000006
【図５】
0003226363.tif 000007
【手続補正書】
【提出日】令和2年3月6日(2020.3.6)
【手続補正２】
【補正対象書類名】明細書
【補正対象項目名】全文
【補正方法】変更
【補正の内容】
【考案の詳細な説明】
【技術分野】
【０００１】
本考案は一種の改良された農業機械の田圃用鉄製ホイールに関する。特に、シンプルな構造、簡単な組み立て、低コスト、高い土壌除去効率、頑丈、および地面への強力な地面把持力を備えた農業機械の田圃用鉄製ホイールである。
【背景技術】
【０００２】
従来の農業機械鉄ホイールの構造は、例えば、台湾特許公開第２５６１７３号に開示されている。主に３セットの三叉ホイールブレードを等距離で固定することにより、ホイールシャフトの周囲に固定され、三叉ホイールブレードのそれぞれには、互いに対向する円弧状のホイールフレームにスロットが設けられ、連結されている。円弧状のホイールフレームは、三叉ホイールブレード上を自由に移動できる。そして、三叉ホイールブレードの二股に分かれたツーピースを使用することにより、カーブしたホイールフレームが外に抜けることを防ぐ。これにより、三叉ホイールブレードがホイールシャフトによって回転すると、遠心力とローリング効果により、３つの分離した円弧状のホイールフレームが別々に移動し、それに付着した土壌が落ちる。
【考案の概要】
【考案が解決しようとする課題】
【０００３】
しかしながら、前述の特許の場合、部品が多く、そして組み立てが複雑であり、鉄ホイールが回転すると、円弧状ホイールフレームのスロットは、ニュートラルピースとツーピースによって制限される。スロットと分岐部分のツーピースの間の摩擦力は大きく、２つは長い作業時間の後に摩耗する傾向がある。また、スロットはニュートラルピースと分岐ピースによって制限されているため、可動スペースが制限され、可動スペースが小さく、摩擦が大きく、転がりながら土を振り落とすか、除去する効率が悪いと、鉄製ホイールの地面への把持力が不十分になり、摩擦が大きくなり、損傷率が増加するが、これは明らかに農家の経済的利益とは一致しない。
【課題を解決するための手段】
【０００４】
以上のことにより、本考案者は農業機械の田圃用鉄製ホイールを改良した。
鉄ホイールの改良された構造は、ラジアルシャフトと、複数の把持爪と、円弧形地ならしブレードとを含む。ラジアルシャフトはホイールシャフトを含み、ホイールシャフトは補強リブによって円形フレームに固定的に接続されている。複数の把持爪が円形フレームの周囲に等間隔で固定されており、把持爪は把持爪片と支持体とを含み、支持体は把持爪片の両側に対称的に固定されている。円弧形地ならしブレードは把持爪片に配置され、円弧形地ならしブレードは、把持爪片に対応する適切な穴を有し、把持爪は、穴を介し
て互いに拘束して連結する動きを形成し、把持爪と支持体は、円弧形地ならしブレードの脱落を制限する。  
【考案の効果】
【０００５】
上記の技術的特徴によれば、以下の効果を達成することができる。
１．把持爪と円弧形地ならしブレードは鉄製ホイールが回転して行進する際に生成される遠心力および土壌と接触して転がることを利用して、把持爪と円弧形地ならしブレードの単純な構造は上下に移動し、左右に振ることができる。また、把持爪の数が多いため、従来の鉄製ホイールよりも地ならしの効率がはるかに大きく、把持爪片と円弧形地ならしブレードに付着した土壌を効果的に除去し、本考案の鉄製ホイールが回転進行中において、地面把持力を高め、農家の仕事の効率を高めることができる。
【図面の簡単な説明】
【０００６】
【図１】本考案の構造模式図である。
【図２】本考案の正面図である。
【図３】本考案の側面図である。
【図４】本考案の円弧形地ならしブレードの動作概略図１である。
【図５】本考案の円弧形地ならしブレードの動作概略図２である。
【考案を実施するための形態】
【０００７】
上記の技術的特徴に基づいて、本考案における改良された農業機械の田圃用鉄製ホイールの主な効果は、以下の実施形態において明確に提示され得る。
【０００８】
図１から図３を参照してください。改良された農業機械の田圃用鉄製ホイールはラジアルシャフト（１）、複数の把持爪（２）、および円弧形地ならしブレード（３）を含む。ラジアルシャフト（１）は、円形フレーム（１１）、補強リブ（１２）、およびホイールシャフト（１３）を備え、ホイールシャフト（１３）は、補強リブ（１２）によって円形フレーム（１１）に固定接続される。複数の把持爪（２）は、円形フレーム（１１）の周囲に等間隔で固定されている。把持爪（２）は、把持爪片（２１）と支持体（２２）とを含む。支持体（２２）は、把持爪片（２１）の両側に対称的に固定されている。円弧形地ならしブレード（３）は把持爪片（２１）に配置され、円弧形地ならしブレード（３）は、把持爪片（２１）に対応する適切な穴（３１）を有する。把持爪片（２１）は、穴（３１）により、互いに拘束し、連結する移動を形成することで適切に移動させることができる。さらに、把持爪片（２１）と支持体（２２）は、円弧形地ならしブレード（３）の脱落を制限する。
【０００９】
しかし、本考案で説明した把持爪（２）は９つのグループに限定されず、実際の必要性に応じて増減できる。特に説明されるべきなのは、組み立てにおいて、最初に円弧形地ならしブレード（３）を、穴（３１）を用いて、把持爪（２）の把持爪片（２１）にスリーブし、次に円弧形地ならしブレード（３）が脱落しないように、支持体（２２）は把持爪片（２１）の両側に溶接される。次に、把持爪（２）を円形フレーム（１１）の周囲に均等に溶接し、円形フレーム（１１）とホイールシャフト（１３）が補強リブ（１２）で溶接固定された後、ラジアルシャフト（１）が形成される。ラジアルシャフト（１）は農業機械と相互接続でき、農業機械が移動すると、ラジアルシャフト（１）が回転するため、前方に転がる。シンプルな構造、頑丈且つ高い土壌掘り返す効率、と強力な地面把持力を備えた農業機械の田圃用鉄製ホイールを形成する。
【００１０】
図４および図５を参照してください。把持爪（２）と円弧形地ならしブレード（３）の構造の設計は、主に把持爪片（２１）と円弧形地ならしブレード（３）を互いに拘束、して接続することである。次に、支持部（２２）が把持爪片（２１）の両側に溶接される。
円弧形地ならしブレード（３）と把持爪（２）の組合わせ、および円弧形地ならしブレード（３）の穴（３１）によって提供される移動スペースにより、円弧形地ならしブレード（３）は、農業機械の田圃用鉄製ホイールの回転中の遠心力と土に転がる作用により、それぞれ上下、左右、前後に３次元的に柔軟に移動できるため、効果的に土壌を掘り返したり、振ったりすることができる。さらに、円弧形地ならしブレード（３）の数は大きく、小さく、柔軟性があり、摩擦は小さく、円弧形地ならしブレード（３）の土を掘り返す効率を向上させることができる。把持爪片（２１）の把持力を高めるために、把持爪片（２１）および円弧形地ならしブレード（３）が土で覆われることは回避される。
【００１１】
このように、円弧形地ならしブレード（３）のより多くのグループを設定することができるので、土を掘り返す効率は従来のものよりも数倍高く、摩擦は小さい。円弧形地ならしブレード（３）は、大きな移動スペースを持ち、農業機械の田圃用鉄製ホイールの地面把持力を向上させ、作業効率をさらに向上させ、農家の作業効率を向上させる。  
【００１２】
上記の実施形態の説明に基づいて、本考案の操作、使用、および効果が完全に理解できると思われる。しかし、上記の実施形態は、本考案の好ましい実施形態に過ぎず、本考案の実施範囲がこれによって制限されない。即ち、本考案に関連する同じ創造的な精神において行われた変更または改変は、本考案の保護の範囲に含まれるべきである。
【符号の説明】
【００１３】
１    ラジアルシャフト
１１  円形フレーム
１２  補強リブ
１３  ホイールシャフト
２    把持爪
２１  把持爪片
２２  支持体
３    円弧形地ならしブレード
３１  穴  
【手続補正３】
【補正対象書類名】実用新案登録請求の範囲
【補正対象項目名】全文
【補正方法】変更
【補正の内容】
【実用新案登録請求の範囲】
【請求項１】
農業機械の田圃用鉄製ホイールであって、ラジアルシャフトと、複数の把持爪と、円弧形地ならしブレードとを含み、
前記ラジアルシャフトはホイールシャフトを含み、前記ホイールシャフトは補強リブによって円形フレームに固定的に接続され、
前記複数の把持爪は、前記円形フレームの周囲に等間隔で固定されており、前記把持爪は、把持爪片と支持体とを含み、前記支持体は、前記把持爪片の両側に対称的に固定されており、
前記円弧形地ならしブレードは前記把持爪片に配置され、前記円弧形地ならしブレードは、前記把持爪片に対応する適切な穴を有し、前記把持爪は、前記穴を介して互いに拘束して連結する動きを形成し、前記把持爪と前記支持体は、前記円弧形地ならしブレードの脱落を制限することを特徴とする、農業機械の田圃用鉄製ホイール。